(57)【要約】【課題】照明範囲を変更するとともに、照明範囲の一部の領域を明るく照明すると同時に該領域よりも他の領域を暗く照明することのできる照明装置を提供する。【解決手段】発光素子４２を有する発光ユニット１１、２１を、一方向に延びる対向面４１ｂ、４１ｃを対向して複数並設してなる照明装置１であって、複数の発光ユニット１１、２１の対向面４１ｂ、４１ｃの相対位置を変更することで、照明範囲を変更するとともに、照明範囲内での照度の分布を可変した。【選択図】図６
2012156015.tif 000002
【特許請求の範囲】
【請求項１】
発光素子を有する発光ユニットを、一方向に延びる対向面を対向して複数並設してなる照明装置であって、
前記複数の発光ユニットの前記対向面の相対位置を変更することで、照明範囲を変更するとともに、照明範囲内での照度の分布を可変することを特徴とする照明装置。
【請求項２】
発光素子を有する発光ユニットを一方向に延びる対向面を対向して他方向に複数並設し、前記他方向に並ぶ各出射面から面発光して照明光を出射する照明装置において、隣接する前記発光ユニットが互いに対峙する対峙状態から前記他方向の距離を維持して少なくとも一部の前記対向面が互いに離れる方向に相対移動できることを特徴とする照明装置。
【請求項３】
隣接する前記発光ユニットが相対的に前記一方向にスライドして離れることを特徴とする請求項１または請求項２に記載の照明装置。
【請求項４】
隣々接の前記発光ユニットを連結した第１発光ユニット群と、第１発光ユニット群に隣接する前記発光ユニットを連結した第２発光ユニット群とを備え、第１発光ユニット群に対して第２発光ユニット群を前記一方向にスライド可能にしたことを特徴とする請求項３に記載の照明装置。
【請求項５】
第１発光ユニット群に隣接するとともに第２発光ユニット群の前記発光ユニットに対して前記一方向に並設される前記発光ユニットを連結した第３発光ユニット群を備え、第２発光ユニット群及び第３発光ユニット群の前記発光ユニットが第１発光ユニット群の前記発光ユニットに対して前記一方向に短く、前記一方向に互いに離れる方向にスライド可能にしたことを特徴とする請求項４に記載の照明装置。
【請求項６】
隣接する前記発光ユニットの前記対向面に互いに係合して摺動する係合部を設け、前記係合部に前記一方向に延びる電力供給用の電極を設けたことを特徴とする請求項３〜請求項５のいずれかに記載の照明装置。
【請求項７】
隣接する前記発光ユニットが互いに対峙する対峙状態から前記発光ユニットが前記一方向の一端部を支点に互いに回動して隣接する前記発光ユニットから離れることを特徴とする請求項１または請求項２に記載の照明装置。
【請求項８】
隣々接の前記発光ユニットを連結した第１発光ユニット群と、第１発光ユニット群に隣接する前記発光ユニットを連結した第２発光ユニット群とを備え、第１発光ユニット群に対して第２発光ユニット群が回動し、前記対峙状態で第１、第２発光ユニット群が反対方向に照明光を出射するとともに、回動により第１、第２発光ユニット群が離れて一面上に開かれた状態で第１、第２発光ユニット群が同じ方向に照明光を出射することを特徴とする請求項７に記載の照明装置。
【発明の詳細な説明】
【技術分野】
【０００１】
本発明は、複数の発光ユニットを並設した照明装置に関する。
【背景技術】
【０００２】
従来の照明装置は特許文献１に開示されている。この照明装置は複数の光源が一方向に並設され、各光源を並設方向にスライドさせるスライド機構が設けられる。各光源が接近した状態からスライド機構によって並設方向に互いに離すと、各光源相互の間隔が一様に変化して照明範囲を所望の範囲に広げることができる。
【先行技術文献】
【特許文献】
【０００３】
【特許文献１】特開２００３−３２３８０９号公報（第２頁、第１図）
【発明の概要】
【発明が解決しようとする課題】
【０００４】
しかしながら、上記従来の照明装置によると、スライド機構によって各光源相互の間隔が一様に変化してそれぞれの間隔が一定になるようにしか照明範囲を可変することができない。即ち、照明範囲を可変するのみであって照明範囲内では照度の分布を変更することはできない。つまり、照明範囲を可変しながら、必要に応じて一部の領域を明るくして、他の領域を前記一部の領域よりも暗く照明することができないという問題がある。
【０００５】
このため、上記従来の照明装置では、例えば、机上面等の使用者の近傍を明るく照明して周囲の明るさを下げて照明するようないわゆるタスクアンドアンビエント照明として使用することができない。
【０００６】
本発明は、照明範囲を変更するとともに、照明範囲の一部の領域を明るく照明すると同時に該領域よりも他の領域を暗く照明することのできる照明装置を提供することを目的とする。
【課題を解決するための手段】
【０００７】
上記目的を達成するために本発明は、発光素子を有する発光ユニットを、一方向に延びる対向面を対向して複数並設してなる照明装置であって、前記複数の発光ユニットの前記対向面の相対位置を変更することで、照明範囲を変更するとともに、照明範囲内での照度の分布を可変することを特徴としている。
【０００８】
この構成によると、発光ユニットは一または複数の発光素子を有し、複数の発光ユニットが対向面を対向して並設される。隣接する発光ユニットは相対移動可能に形成され、発光ユニットのスライドや回動等によって対向面の少なくとも一部が相対的に互いに離れる。これにより、照明装置の照明範囲及び照明範囲内での照明の分布が変更される。
【０００９】
また本発明は、上記構成の照明装置において、発光素子を有する発光ユニットを一方向に延びる対向面を対向して他方向に複数並設し、前記他方向に並ぶ各出射面から面発光して照明光を出射する照明装置において、隣接する前記発光ユニットが互いに対峙する対峙状態から前記他方向の距離を維持して少なくとも一部の前記対向面が互いに離れる方向に相対移動できることを特徴としている。
【００１０】
この構成によると、発光ユニットは一または複数の発光素子を有し、出射面から面発光する。複数の発光ユニットは一方向に延びる対向面を対向して他方向に並設され、出射面が一面に並べられる。隣接する発光ユニットは相対移動可能に形成され、互いに対峙した対峙状態から移動する。この時、隣接する発光ユニットの他方向の距離が一定に維持され、一方向のスライドや一端を軸とした回動等によって対向面の少なくとも一部が互いに離れる。
【００１１】
また本発明は、上記構成の照明装置において、隣接する前記発光ユニットが相対的に前記一方向にスライドして離れることを特徴としている。この構成によると、発光ユニットの一方向のスライドにより照明範囲が可変される。
【００１２】
また本発明は、上記構成の照明装置において、隣々接の前記発光ユニットを連結した第１発光ユニット群と、第１発光ユニット群に隣接する前記発光ユニットを連結した第２発光ユニット群とを備え、第１発光ユニット群に対して第２発光ユニット群を前記一方向にスライド可能にしたことを特徴としている。この構成によると、第１発光ユニット群の発光ユニット間に第２発光ユニット群の発光ユニットが配される。第１発光ユニット群に対して第２発光ユニット群が一体的に一方向に相対移動する。
【００１３】
また本発明は、上記構成の照明装置において、第１発光ユニット群に隣接するとともに第２発光ユニット群の前記発光ユニットに対して前記一方向に並設される前記発光ユニットを連結した第３発光ユニット群を備え、第２発光ユニット群及び第３発光ユニット群の前記発光ユニットが第１発光ユニット群の前記発光ユニットに対して前記一方向に短く、前記一方向に互いに離れる方向にスライド可能にしたことを特徴としている。この構成によると、第１発光ユニット群に対して第２発光ユニット群の発光ユニットが一方向にスライド移動し、第３発光ユニット群の発光ユニットが該一方向と反対方向にスライド移動する。
【００１４】
また本発明は、上記構成の照明装置において、隣接する前記発光ユニットの前記対向面に互いに係合して摺動する係合部を設け、前記係合部に前記一方向に延びる電力供給用の電極を設けたことを特徴としている。この構成によると、隣接する発光ユニットが係合部の係合によって他方向の距離を維持して一方向にスライドする。この時、発光ユニットのスライド時に係合部に設けた電極が互いに摺動して電力供給される。
【００１５】
また本発明は、上記構成の照明装置において、隣接する前記発光ユニットが互いに対峙する対峙状態から前記発光ユニットが前記一方向の一端部を支点に互いに回動して隣接する前記発光ユニットから離れることを特徴としている。この構成によると、隣接する発光ユニットが相対的に回動して照明範囲が可変される。
【００１６】
また本発明は、上記構成の照明装置において、隣々接の前記発光ユニットを連結した第１発光ユニット群と、第１発光ユニット群に隣接する前記発光ユニットを連結した第２発光ユニット群とを備え、第１発光ユニット群に対して第２発光ユニット群が回動し、前記対峙状態で第１、第２発光ユニット群が反対方向に照明光を出射するとともに、回動により第１、第２発光ユニット群が離れて一面上に開かれた状態で第１、第２発光ユニット群が同じ方向に照明光を出射することを特徴としている。
【００１７】
この構成によると、第１発光ユニット群の発光ユニット間に第２発光ユニット群の発光ユニットが配される。第１発光ユニット群に対して第２発光ユニット群が一端を回動軸として回動して開閉される。第１発光ユニット群に対して第２発光ユニット群を同一面上に開いた状態では一方向の照明範囲が広く確保され、第１、第２発光ユニット群が同じ方向に照明光を出射する。第１発光ユニット群に対して第２発光ユニット群を閉じた対峙状態では第１発光ユニット群の出射面と第２発光ユニット群の出射面が反対側に配置され、反対方向に照明光が出射される。
【発明の効果】
【００１８】
本発明によると、照明範囲を変更するとともに、照明範囲の一部の領域を明るく照明すると同時に該一部の領域よりも他の領域を暗く照明することができる。
【図面の簡単な説明】
【００１９】
【図１】本発明の第１実施形態の照明装置を示す斜視図
【図２】本発明の第１実施形態の照明装置を示す平面図
【図３】本発明の第１実施形態の照明装置の発光ユニットの内部を示す正面図
【図４】本発明の第１実施形態の照明装置の発光ユニットを示す側面断面図
【図５】本発明の第１実施形態の照明装置の対峙状態を示す正面図
【図６】本発明の第１実施形態の照明装置の対峙状態から離れた状態示す平面図
【図７】本発明の第１実施形態の照明装置の対峙状態から離れた状態を示す正面図
【図８】本発明の第１実施形態の照明装置の対峙状態から更に離れた状態示す平面図
【図９】本発明の第１実施形態の照明装置の対峙状態から更に離れた状態を示す正面図
【図１０】本発明の第２実施形態の照明装置の対峙状態を示す平面図
【図１１】本発明の第２実施形態の照明装置の対峙状態から離れた状態を示す平面図
【図１２】本発明の第２実施形態の照明装置の対峙状態から更に離れた状態を示す平面図
【図１３】本発明の第３実施形態の照明装置の対峙状態を示す平面図
【図１４】本発明の第３実施形態の照明装置の対峙状態を示す正面図
【図１５】本発明の第３実施形態の照明装置の対峙状態から離れた状態を示す正面図
【図１６】本発明の第３実施形態の照明装置の対峙状態から更に離れた状態を示す正面図
【発明を実施するための形態】
【００２０】
以下に本発明の実施形態を図面を参照して説明する。図１、図２は第１実施形態の照明装置を示す斜視図及び平面図である。照明装置１は断面矩形の長尺の発光ユニット１１、２１、３１をそれぞれ複数有している。発光ユニット２１、３１は発光ユニット１１の約１／２の長さに形成され、長手方向に並設される。
【００２１】
発光ユニット１１及び発光ユニット２１は短手方向に並設され、発光ユニット１１間に発光ユニット２１が配される。これにより、発光ユニット１１、２１が互いに隣接して配される。同様に、発光ユニット１１及び発光ユニット３１は短手方向に並設され、発光ユニット１１間に発光ユニット３１が配される。これにより、発光ユニット１１、３１が互いに隣接して配される。
【００２２】
発光ユニット２１、３１を挟んで隣々接の発光ユニット１１は両端部に配される連結板１２、１３により連結して一体となる発光ユニット群１０を形成する。発光ユニット１１を挟んで隣々接の発光ユニット２１は一方の端部に配される連結板２２により連結して一体となる発光ユニット群２０を形成する。発光ユニット１１を挟んで隣々接の発光ユニット３１は一方の端部に配される連結板３２により連結して一体となる発光ユニット群３０を形成する。
【００２３】
短手方向の中央部に配される発光ユニット１１にはローゼット３に接続された配線２が上方に導出される。連結板２２、３２には配線２が挿通される切欠き部２２ａ、３２ａが形成される。ローゼット３を屋内の天井面の端子に接続し、配線２を介して照明装置１に電力が供給される。
【００２４】
詳細を後述するように、発光ユニット群２０の発光ユニット２１は発光ユニット群１０の発光ユニット１１に対して短手方向の距離を維持して長手方向にスライド移動する。同様に、発光ユニット群３０の発光ユニット３１は発光ユニット群１０の発光ユニット１１に対して短手方向の距離を維持して発光ユニット群２０と逆方向の長手方向にスライド移動する。一部の発光ユニット１１、２１、３１の下面端部にはスライド移動された位置を保持する係止機構部５０が設けられる。
【００２５】
図３は発光ユニット１１の内部を示す正面図である。発光ユニット２１、３１も同様に構成される。発光ユニット１１は長尺の筐体４１により覆われ、筐体４１の一面に形成される出射面４１ａに沿って拡散板４３が配される。拡散板４３に対して出射面４１ａと反対側には一または複数のＬＥＤから成る発光素子４２が配される。
【００２６】
発光素子４２の出射光は拡散板４３で拡散され、出射面４１ａが面発光して均一な照明光が出射される。尚、出射面４１ａを除く筐体４１の内面には反射シート（不図示）が設けられる。これにより、発光素子４２の出射光の利用効率を高くすることができる。発光素子４２を蛍光管や有機ＥＬ素子等により形成してもよい。
【００２７】
図４は隣接する発光ユニット１１、２１の側面断面図を示している。発光ユニット３１も同様に構成される。発光ユニット１１、２１の筐体４１は出射面４１ａに直交して互いに対向する対向面４１ｂ、４１ｃが設けられる。
【００２８】
一方の対向面４１ｂには長手方向に延びる断面Ｔ字状の係合突起４４が突設される。他方の対向面４１ｃには長手方向に延びて係合突起４４に係合する係合溝４５が設けられる。係合突起４４及び係合溝４５は互いに摺動して係合する係合部を構成する。係合部によって隣接する発光ユニット１１、２１は短手方向の距離を一定に維持して長手方向にスライド自在に保持される。尚、複数の係合突起４４を長手方向に分割して設けてもよい。
【００２９】
係合突起４４の端面及び係合溝４５の底面にはそれぞれ導体から成る電極４６が設けられる。係合突起４４及び係合溝４５の電極４６は発光ユニット１１、２１のスライド時に互いに摺動する。これにより、配線２（図１参照）から供給される電力を各発光ユニット１１、２１に供給することができる。
【００３０】
係止機構部５０はストッパ５１及びゴムシート５３を有している。隣接する発光ユニット１１、２１の筐体４１の下面にはそれぞれ案内部４１ｄ及び溝部４１ｅが凹設される。断面Ｃ字状に形成されたストッパ５１は案内部４１ｄに係合し、ゴムシート５３は溝部４１ｅのストッパ５１に対向する面に配される。
【００３１】
案内部４１ｄの案内によってストッパ５１は発光ユニット１１、２１の短手方向にスライド自在に保持される。また、ストッパ５１は圧縮バネにより形成される付勢部５２によって隣接する発光ユニット２１の溝部４１ｅの方向に付勢される。
【００３２】
付勢部５２の付勢に抗してストッパ５１をゴムシート５３から退避させると、発光ユニット群１０に対して発光ユニット群２０、３０をスライド移動することができる。ストッパ５１が付勢部５２の付勢によってゴムシート５３に当接すると、両者の摩擦により発光ユニット群２０、３０が係止される。これにより、発光ユニット群２０、３０を所望の位置に配置することができる。
【００３３】
上記構成の照明装置１において、図１、図２に示すように発光ユニット１１と発光ユニット２１、３１とが対峙した対峙状態で照明装置１は発光ユニット１１の長さＬ１（図５参照）になる。この時、長さの短い発光ユニット２１及び発光ユニット３１の対向面４１ｂ、４１ｃ（図４参照）全体が発光ユニット１１の対向面４１ｂ、４１ｃに対向する。
【００３４】
図５の正面図に示すように、対峙状態の照明装置１による床面Ｆ上の照明範囲は発光ユニット１１、２１、３１の長手方向に長さＬ１に略一致する。各発光ユニット１１、２１、３１は出射面４１ａから均一に面発光するので、照明範囲全体が均一に照明される。
【００３５】
図６、図７は発光ユニット群１０に対して発光ユニット群２０、３０を対峙状態からそれぞれスライド移動させた状態の平面図及び正面図を示している。尚、連結板１２と連結板２２とが離れ、連結板１３と連結板３２とが離れた状態を示している。発光ユニット群２０、３０のスライドにより発光ユニット１１と発光ユニット２１、３１の対向面４１ｂ、４１ｃの一部が互いに離れる方向に相対移動する。これにより、照明装置１の長さＬ２は対峙状態の長さＬ１（図５参照）よりも長くなり、照明範囲が広がる。
【００３６】
この時、発光ユニット群１０の発光ユニット１１と発光ユニット群２０、３０の発光ユニット２１、３１とが短手方向に重なる部分の照明範囲Ｃは明るく照明される。また、発光ユニット１１、２１、３１が短手方向に重ならない部分の照明範囲Ｄは照明範囲Ｃよりも明るさを低くして照明される。これにより、不要な領域の照明の明るさを下げることができる。
【００３７】
図８、図９は発光ユニット群１０に対して発光ユニット群２０、３０を図６、図７の状態から更にスライド移動させた状態の平面図及び正面図を示している。尚、連結板１２と連結板２２とが当接し、連結板１３と連結板３２とが当接した状態を示している。発光ユニット群２０、３０のスライドにより照明装置１の長さＬ３は対峙状態の長さＬ１（図５参照）の約２倍になり、照明範囲が更に広がる。
【００３８】
この時、発光ユニット群１０、２０、３０の発光ユニット１１、２１、３１は短手方向に殆ど重ならずに照明範囲Ｄの明るさで略全体が均一に照明される。尚、発光ユニット１１、２１、３１が短手方向に一部重なる照明範囲Ｃを有するが、狭い範囲であるので照明範囲全体に対して均一に照明することができる。
【００３９】
本実施形態によると、隣接する発光ユニット１１、２１及び発光ユニット１１、３１の対向面４１ｂ、４１ｃの相対位置を変更することで、照明範囲を変更するとともに照明範囲内での照度の分布が可変される。従って、照明範囲の一部の領域を明るく照明すると同時に該領域よりも他の領域を暗く照明することができる。
【００４０】
また、隣接する発光ユニット１１、２１及び発光ユニット１１、３１が互いに対峙する対峙状態から短手方向（他方向）の距離を維持して少なくとも一部の対向面４１ｂ、４１ｃが互いに離れる方向に相対移動できる。これにより、照明範囲を変更するとともに照明範囲内での照度の分布が可変される。従って、照明範囲の一部の領域を明るく照明すると同時に該領域よりも他の領域を暗く照明することができる。また、明るさを下げてもよい領域まで明るく照明することを防止し、照明装置１の省電力化を図ることができる。
【００４１】
また、対峙状態から隣接する発光ユニット１１、２１及び発光ユニット１１、３１が相対的に長手方向（一方向）にスライドして離れるので、発光ユニット１１、２１、３１の短手方向（他方向）の距離を維持して照明範囲を可変する照明装置１を容易に実現することができる。
【００４２】
また、隣々接の発光ユニット１１を連結した発光ユニット群１０（第１発光ユニット群）に対して、発光ユニット群１０に隣接する発光ユニット２１、３１を連結した発光ユニット群２０、３０（第２発光ユニット群）を長手方向にスライド可能にしたので、複数の発光ユニット１１、２１、３１をそれぞれ一体に移動して容易に照明範囲を可変することができる。
【００４３】
また、発光ユニット群２０、３０（第２、第３発光ユニット群）の発光ユニット２１、３１が発光ユニット１１に対して長手方向に短く、長手方向に互いに離れる方向にスライド可能にしたので、発光ユニット１１の両側方に発光ユニット２１、３１がスライドして容易に照明範囲を可変することができる。また、照明装置１を室内の天井等の壁面に接続する際に、発光ユニット群２０、３０の長手方向の間に配される発光ユニット群１０を壁面に取り付けて照明装置１を安定して保持することができる。
【００４４】
また、隣接する発光ユニット１１、２１及び発光ユニット１１、３１の対向面４１ｂ、４１ｃに互いに係合して摺動する係合突起４４及び係合溝４５（係合部）を設け、係合突起４４及び係合溝４５に長手方向に延びる電力供給用の電極４６を設けたので、スライド移動する発光ユニット１１、２１、３１に容易に電力を供給することができる。
【００４５】
本実施形態において、複数の発光ユニット１１を一体化した発光ユニット群１０と複数の発光ユニット２１を一体化した発光ユニット群２０とが相対的にスライド移動するが、各発光ユニット１１、２１を個別に相対的にスライド移動させてもよい。また、複数の発光ユニット１１を一体化した発光ユニット群１０と複数の発光ユニット３１を一体化した発光ユニット群３０とが相対的にスライド移動するが、各発光ユニット１１、３１を個別に相対的にスライド移動させてもよい。これにより、照明範囲や照度の分布状態を可変した更に多くの照明状態のバリエーションを得ることができる。
【００４６】
また、発光ユニット１１、２１、３１が長尺に形成されるが、スライド方向（一方向）と並設方向（他方向）とを略同じ長さに形成してもよい。
【００４７】
次に、図１０は第２実施形態の照明装置を示す平面図である。説明の便宜上、前述の図１〜図９に示す第１実施形態と同様の部分は同一の符号を付している。照明装置１は第１実施形態と同様の同じ長さの発光ユニット１１、２１を有している。発光ユニット１１及び発光ユニット２１は短手方向に並設され、発光ユニット１１間に発光ユニット２１が配される。これにより、発光ユニット１１、２１が互いに隣接して配される。
【００４８】
発光ユニット２１を挟んで隣々接となる発光ユニット１１は両端部に配される連結板１２、１３により連結して一体となる発光ユニット群１０を形成する。発光ユニット１１を挟んで隣々接の発光ユニット２１は両端部に配される連結板２２、２３により連結して一体となる発光ユニット群２０を形成する。
【００４９】
同図に示すように発光ユニット１１と発光ユニット２１とが対峙した対峙状態で発光ユニット１１、２１の対向面４１ｂ、４１ｃ（図４参照）全体が互いに対向する。これにより、発光ユニット１１、２１全体が短手方向に重なり、照明範囲全体が均一に照明される。
【００５０】
図１１は発光ユニット群１０に対して発光ユニット群２０を対峙状態からスライド移動させた状態の平面図を示している。尚、連結板１２と連結板２２とが離れ、連結板１３と連結板２３とが離れた状態を示している。発光ユニット群２０のスライドにより発光ユニット１１と発光ユニット２１の対向面４１ｂ、４１ｃの一部が互いに離れる方向に相対移動する。これにより、照明装置１の長さは対峙状態の長さよりも長くなり、照明範囲が広がる。
【００５１】
この時、発光ユニット群１０の発光ユニット１１と発光ユニット群２０の発光ユニット２１とが短手方向に重なる部分の照明範囲は明るく照明される。また、発光ユニット１１、２１が短手方向に重ならない部分の照明範囲は上記よりも明るさを低くして照明される。これにより、不要な領域の照明の明るさを下げることができる。
【００５２】
図１２は発光ユニット群１０に対して発光ユニット群２０を図１１の状態から更にスライド移動させた状態の平面図を示している。尚、連結板１２と連結板２２とが当接し、連結板１３と連結板２３とが当接した状態を示している。発光ユニット群２０のスライドにより照明装置１の長さは対峙状態の長さの約２倍になり、照明範囲が更に広がる。
【００５３】
この時、発光ユニット群１０、２０の発光ユニット１１、２１は短手方向に殆ど重ならずに所定の明るさで略全体が均一に照明される。尚、発光ユニット１１、２１が短手方向に一部重なる照明範囲を有するが、狭い範囲であるので照明範囲全体に対して均一に照明することができる。
【００５４】
本実施形態によると、第１実施形態と同様に、隣接する発光ユニット１１、２１の対向面４１ｂ、４１ｃの相対位置を変更することで、照明範囲を変更するとともに照明範囲内での照度の分布が可変される。従って、照明範囲の一部の領域を明るく照明すると同時に該領域よりも他の領域を暗く照明することができる。
【００５５】
また、隣接する発光ユニット１１、２１が互いに対峙する対峙状態から短手方向の距離を維持して少なくとも一部の対向面４１ｂ、４１ｃが互いに離れる方向に相対移動できる。。これにより、照明範囲を変更するとともに照明範囲内での照度の分布が可変される。従って、照明範囲の一部の領域を明るく照明すると同時に該領域よりも他の領域を暗く照明することができる。また、明るさを下げてもよい領域まで明るく照明することを防止し、照明装置１の省電力化を図ることができる。
【００５６】
本実施形態において、複数の発光ユニット１１を一体化した発光ユニット群１０と複数の発光ユニット２１を一体化した発光ユニット群２０とが相対的にスライド移動するが、各発光ユニット１１、２１を個別に相対的にスライド移動させてもよい。これにより、更に多くの照明状態のバリエーションを得ることができる。
【００５７】
また、発光ユニット１１、２１が長尺に形成されるが、スライド方向（一方向）と並設方向（他方向）とを略同じ長さに形成してもよい。
【００５８】
次に、図１３、図１４は第３実施形態の照明装置を示す平面図及び正面図である。説明の便宜上、前述の図１〜図９に示す第１実施形態と同様の部分は同一の符号を付している。照明装置１は第１実施形態と同様の同じ長さの発光ユニット１１、２１を有している。発光ユニット１１及び発光ユニット２１は短手方向に並設され、発光ユニット１１間に発光ユニット２１が配される。これにより、発光ユニット１１、２１が互いに隣接して配される。
【００５９】
発光ユニット２１を挟んで隣々接となる発光ユニット１１は一端部に配されるヒンジ部５５により連結して一体となる発光ユニット群１０を形成する。発光ユニット１１を挟んで隣々接の発光ユニット２１はヒンジ部５５により連結して一体となる発光ユニット群２０を形成する。ヒンジ部５５によって発光ユニット群１０、２０は発光ユニット１１、２１の長手方向の外側に配された回動軸５５ａで回動自在に連結される。
【００６０】
図１３、図１４に示すように発光ユニット群１０、２０を閉じて発光ユニット１１と発光ユニット２１とが対峙した対峙状態で発光ユニット１１、２１の対向面４１ｂ、４１ｃ（図４参照）全体が互いに対向する。この時、発光ユニット１１の出射面４１ａと発光ユニット２１の出射面４１ａとは反対側に配置される。
【００６１】
このため、例えば、対峙状態で出射面４１ａを床面Ｆに垂直に配置すると、発光ユニット群１０の発光ユニット１１から矢印Ａ１に示すように床面Ｆに対して平行に照明光が出射される。また、発光ユニット群２０の発光ユニット２１から矢印Ａ２に示すように発光ユニット１１と反対側に照明光が出射される。これにより、発光ユニット１１と発光ユニット２１の一方からの照明光により側壁や天井面等を照明して間接照明として利用し、他方からの照明光により直接照明領域を照明して利用することができる。
【００６２】
図１５は発光ユニット群１０、２０を対峙状態から回動して開いた状態の正面図を示している。発光ユニット群１０、２０の回動により発光ユニット１１と発光ユニット２１の対向面４１ｂ、４１ｃの全体が互いに離れる方向に相対移動する。
【００６３】
この時、発光ユニット群１０の発光ユニット１１の出射面４１ａに対向するとともに発光ユニット群２０の発光ユニット２１の出射面４１ａに対向した領域の照明範囲Ｃは明るく照明される。また、発光ユニット１１、２１の一方のみの出射面４１ａに対向した領域の照明範囲Ｄは照明範囲Ｃよりも明るさを低くして照明される。これにより、不要な領域の照明の明るさを下げることができる。
【００６４】
図１６は発光ユニット群１０、２０を図１４の状態から更に回動し、発光ユニット１１、２１が略一平面上に開かれた状態の正面図を示している。この時、照明装置１の長さは対峙状態の長さの約２倍になり、照明範囲を広くすることができる。また、発光ユニット群１０、２０の発光ユニット１１、２１は略一平面上に配されるため出射面４１ａから同じ方向に照明光が出射され、照明範囲の略全体が均一に照明される。
【００６５】
本実施形態によると、隣接する発光ユニット１１、２１の相対的な回動により対向面４１ｂ、４１ｃの相対位置を変更することで、照明範囲を変更するとともに照明範囲内での照度の分布が可変される。従って、照明範囲の一部の領域を明るく照明すると同時に該領域よりも他の領域を暗く照明することができる。
【００６６】
また、隣接する発光ユニット１１、２１が互いに対峙する対峙状態から回動により短手方向の距離を維持して対向面４１ｂ、４１ｃが互いに離れる方向に相対移動できる。これにより、照明範囲を変更するとともに照明範囲内での照度の分布が可変される。従って、照明範囲の一部の領域を明るく照明すると同時に該領域よりも他の領域を暗く照明することができる。また、明るさを下げてもよい領域まで明るく照明することを防止し、照明装置１の省電力化を図ることができる。
【００６７】
また、対峙状態から発光ユニット１１、２１が長手方向の一端部を支点に互いに回動して隣接する発光ユニット１１、２１から離れるので、発光ユニット１１、２１の短手方向の距離を維持して照明範囲を可変する照明装置１を容易に実現することができる。
【００６８】
また、発光ユニット群１０（第１発光ユニット群）対して発光ユニット群２０（第２発光ユニット群）が回動する。そして、対峙状態で発光ユニット群１０、２０が反対方向に照明光を出射し、回動により発光ユニット群１０、２０が離れて一面上に開かれた状態で発光ユニット群１０、２０が同じ方向に照明光を出射する。これにより、間接照明と直接照明等の照明状態のバリエーションをより多くすることができる。
【００６９】
本実施形態において、回動軸５５ａを発光ユニット１１、２１の外側に形成しているが、発光ユニット１１、２１を貫通して形成してもよい。この時、発光ユニット１１、２１の回動により、回動軸５５ａ近傍の一部の対向面４１ｂ、４１ｃが離れず、回動軸５５ａから離れた対向面４１ｂ、４１ｃが互いに離れる方向に相対移動する。
【００７０】
また、複数の発光ユニット１１を一体化した発光ユニット群１０と複数の発光ユニット２１を一体化した発光ユニット群２０とが相対的に回動するが、各発光ユニット１１、２１を個別に相対的に回動させてもよい。これにより、更に多くの照明状態のバリエーションを得ることができる。
【００７１】
また、発光ユニット１１、２１が長尺に形成されるが、回動軸５５ａを中心とした径方向（一方向）と並設方向（他方向）とを略同じ長さに形成してもよい。
【産業上の利用可能性】
【００７２】
本発明によると、複数の発光ユニットを並設した照明装置に利用することができる。
【符号の説明】
【００７３】
１    照明装置
２    配線
３    ローゼット
１０、２０、３０  発光ユニット群
１１、２１、３１  発光ユニット
１２、１３、２２、２３、３２  連結板
４１    筐体
４２    発光素子
４３    拡散板
４４    係合突起
４５    係合溝
４６    電極
５０    係止機構部
５１    ストッパ
５２    付勢部
５３    ゴムシート
５５    ヒンジ部
５５ａ  回動軸
【図１】
2012156015.tif 000003
【図２】
2012156015.tif 000004
【図３】
2012156015.tif 000005
【図４】
2012156015.tif 000006
【図５】
2012156015.tif 000007
【図６】
2012156015.tif 000008
【図７】
2012156015.tif 000009
【図８】
2012156015.tif 000010
【図９】
2012156015.tif 000011
【図１０】
2012156015.tif 000012
【図１１】
2012156015.tif 000013
【図１２】
2012156015.tif 000014
【図１３】
2012156015.tif 000015
【図１４】
2012156015.tif 000016
【図１５】
2012156015.tif 000017
【図１６】
2012156015.tif 000018